(57)【要約】  画像読取装置（１０２）は、読取対象物に光を照射する照明ユニット（１００）と、読取対象物での反射光を基に結像する結像ユニット（１０１）とを備える。照明ユニット（１００）は、底部に設けられた位置決め穴部（９ｅ，９ｆ）とを有する導光体ホルダ（９）を備える。結像ユニット（１０１）は、読取対象物に対向して設けられたベース（２７）に載置されて、第１レンズミラーなどの構成部材を収納又は保持する枠体を備える。枠体は、その主走査方向の端部であるスタンド（３４）の上部に設けられており、読取対象物からの反射光の光軸が第１レンズミラーを通るように導光体ホルダ（９）の位置決め穴部（９ｅ，９ｆ）に嵌合する位置決めボス（３４ａ，３４ｂ）を有する。
2014129549.tif 000002
【特許請求の範囲】
【請求項１】
対象物に光を照射する照明ユニットと、
前記対象物での反射光を基に結像する結像ユニットとを備え、
前記照明ユニットは、
主走査方向に延在する導光体の端部が挿入されるとともに、前記導光体の前記端部に対向して光源が配置される貫通穴と、底部に設けられた第１穴部とを有する導光体ホルダを備え、
前記結像ユニットは、
前記対象物に対向して設けられたベースと、
主走査方向に沿ってアレイ状に前記ベースに載置される凹型のミラーであって、前記対象物に対向し前記対象物で反射した反射光をコリメートし副走査方向へ傾斜させた平行光線束として反射する第１レンズミラーと、
前記第１レンズミラーからの光を反射する鏡であって、副走査方向に並行に配置された平面鏡部と、
主走査方向に延びる開口と前記開口の周囲で遮光する遮光部とを有し、前記平面鏡部からの光を選択的に通過させるアパーチャー部と、
主走査方向に沿ってアレイ状に前記ベースに載置される凹型のミラーであって、前記アパーチャー部から入射した光を集束光として反射させる第２レンズミラーと、
前記第２レンズミラーで反射した光を基に結像する受光部と、
前記ベースに載置されて、前記平面鏡部、前記アパーチャー部及び前記受光部を収納又は保持する枠体とを備え、
前記枠体は、前記枠体の主走査方向の端部である側壁部の上部に設けられており、前記対象物からの反射光の光軸が前記第１レンズミラーを通るように前記導光体ホルダの前記第１穴部に嵌合する突起部を有する画像読取装置。
【請求項２】
前記照明ユニットは、
前記主走査方向に延在する導光体と、
前記導光体の主走査方向の前記端部に対向して設けられた光源と、
前記導光体が載置される部材であって、主走査方向に延在する開口部と、主走査方向の端部から前記主走査方向に突き出た突起部とを有する導光体保持材と、
前記導光体、前記光源、前記導光体ホルダ及び前記導光体保持材を収納又は保持し、前記第１の穴部に対応する位置に貫通穴が設けられた筐体とをさらに備え、
前記導光体ホルダは、主走査方向に貫通して底部に設けられ、前記導光体保持材の前記突起部が挿入された第２穴部をさらに備える
請求項１に記載の画像読取装置。
【請求項３】
前記導光体は、主走査方向の中央部に設けられた突起である導光体固定部を有し、
前記導光体保持材は、前記導光体固定部と係合して前記導光体を固定する導光体保持部をさらに有する
請求項２に記載の画像読取装置。
【発明の詳細な説明】
【技術分野】
【０００１】
この発明は、原稿などの対象物の画像を読み取る画像読取装置に関するものである。
【背景技術】
【０００２】
特許文献１には、それぞれが独立した光学系である複数個のセルで構成される結像光学系を備えた画像読取装置が開示されている。このセルは、原稿からの光を反射しかつ集光する、第１及び第２の反射型集光光学素子と、アパーチャーとを有する。セル内では、原稿から撮像素子部へ向かう光の進行方向において第１反射型集光光学素子、アパーチャー、第２反射型集光光学素子の順番にこれらが配置される。また、アパーチャーは、第１反射型集光光学素子の後側焦点位置に配置され、これによって、原稿側にテレセントリックな光学系が形成される。特許文献１に記載の画像読取装置では、光路を折り曲げる光学素子として第１反射型集光光学素子及び第２反射型集光光学素子のみが設けられる。【０００３】
特許文献１に記載の画像読取装置では、第１反射型集光光学素子及び第２反射型集光光学素子は、光路を折り曲げる従来のミラーに比べて入射角が小さくなるように構成されている。これによって、製造誤差及び設置誤差に起因する画像における歪みの発生をある程度抑制することができる。【０００４】
ここで、特許文献１に記載の画像読取装置において、原稿の画像情報を撮像素子部へ正確に伝達するには、特許文献１の図１に示されている照明光源と結像光学系の副走査方向及び深度方向における位置が精度良く決められることが重要である。
【先行技術文献】
【特許文献】
【０００５】
【特許文献１】特開２０１２−５４９１０号公報
【発明の概要】
【発明が解決しようとする課題】
【０００６】
しかしながら、特許文献１では照明光源と結像光学系の位置を精度良く決める方法が開示されていない。照明光源と結像光学系の位置精度が良好でない場合、組立ばらつきが大きくなる場合などには、画像情報が正確に伝達しないことがある。【０００７】
この発明は、上記のような課題を解決するためになされたものであり、照明光源と結像光学系の副走査方向及び深度方向位置を精度良く決めることができる画像読取装置を得ることを目的とする。
【課題を解決するための手段】
【０００８】
上記目的を達成するため、この発明に係る画像読取装置は、対象物に光を照射する照明ユニットと、対象物での反射光を基に結像する結像ユニットとを備える。照明ユニットは、主走査方向に延在する導光体の端部が挿入されるとともに、導光体の端部に対向して光源が配置される貫通穴と、底部に設けられた第１穴部とを有する導光体ホルダを備える。結像ユニットは、ベースと、第１レンズミラーと、平面鏡部と、アパーチャー部と、第２レンズミラーと、受光部と、枠体とを備える。ベースは、対象物に対向して設けられる。第１レンズミラーは、主走査方向に沿ってアレイ状にベースに載置される凹型のミラーであって、対象物に対向し対象物で反射した反射光をコリメートし副走査方向へ傾斜させた平行光線束として反射する。平面鏡部は、第１レンズミラーからの光を反射する鏡であって、副走査方向に並行に配置される。アパーチャー部は、主走査方向に延びる開口とこの開口の周囲で遮光する遮光部とを有し、平面鏡部からの光を選択的に通過させる。第２レンズミラーは、主走査方向に沿ってアレイ状にベースに載置される凹型のミラーであって、アパーチャー部から入射した光を集束光として反射させる。受光部は、第２レンズミラーで反射した光を基に結像する。枠体は、ベースに載置されて、平面鏡部、アパーチャー部及び受光部を収納又は保持する。枠体は、その主走査方向の端部である側壁部の上部に設けられており、対象物からの反射光の光軸が第１レンズミラーを通るように導光体ホルダの第１穴部に嵌合する突起部を有する。
【発明の効果】
【０００９】
この発明によれば、導光体ホルダの貫通穴に光源及び導光体を配置することによって、光源及び導光体の位置関係は、導光体ホルダに対して規定される。【００１０】
また、平面鏡部、アパーチャー部及び受光部を枠体に保持させ、かつ、枠体、第１レンズミラー及び第２レンズミラーをベースに載置することによって、第１レンズミラー、第２レンズミラー、平面鏡部、アパーチャー部及び受光部の位置関係は、枠体に対して規定される。【００１１】
そして、第１穴部と突起部とを嵌合させることによって、導光体ホルダ及び枠体の位置関係が規定される。その結果、光源、導光体、第１レンズミラー、第２レンズミラー、平面鏡部、アパーチャー部及び受光部の位置関係を精度良く決めることができる。【００１２】
従って、照明光源と結像光学系の副走査方向及び深度方向位置を精度良く決めることが可能になる。
【図面の簡単な説明】
【００１３】
【図１】この発明の一実施の形態に係る画像読取装置の外観図である。
【図２】この発明の一実施の形態に係る照明ユニットの分解図である。
【図３】この発明の一実施の形態に係る照明ユニットの主走査方向の端部の分解図である。
【図４Ａ】この発明の一実施の形態に係る導光体ホルダを、導光体が取り付けられる側から見た斜視図である。
【図４Ｂ】この発明の一実施の形態に係る導光体ホルダを、光源が取り付けられる側から見た斜視図である。
【図５】この発明の一実施の形態に係る導光体の主走査方向の端部の断面図である。
【図６】この発明の一実施の形態に係る導光体と導光体保持材との分解図である。
【図７】この発明の一実施の形態に係る導光体と導光体保持材とのそれぞれの中心部の拡大図である。
【図８】この発明の一実施の形態に係る導光体保持材と板金部材の分解図である。
【図９】この発明の一実施の形態に係る画像読取装置の、主走査方向に垂直な面における断面図である。
【図１０】この発明の一実施の形態に係る結像ユニットの分解図である。
【図１１】この発明の一実施の形態に係る照明ユニットと結像ユニットとを組み立てた状態を示す側面図である。
【図１２】この発明の一実施の形態に係る照明ユニットと結像ユニットとが分離した状態を示す側面図である。
【発明を実施するための形態】
【００１４】
この発明の一実施の形態に係る画像読取装置ついて、図１〜図１２を参照して説明する。
【００１５】
図１は、この発明の一実施の形態に係る画像読取装置の外観図である。図２は、この発明の一実施の形態に係る照明ユニットの分解図である。図３は、この発明の一実施の形態に係る照明ユニットの主走査方向の端部の分解図である。図５は、この発明の一実施の形態に係る導光体の主走査方向の端部の断面図である。
【００１６】
図６は、この発明の一実施の形態に係る導光体と導光体保持材との分解図である。図７は、この発明の一実施の形態に係る導光体と導光体保持材とのそれぞれの中心部の拡大図である。図８は、この発明の一実施の形態に係る導光体保持材と板金部材の分解図である。図９は、この発明の一実施の形態に係る画像読取装置の、主走査方向に垂直な面における断面図である。
【００１７】
図１０は、この発明の一実施の形態に係る結像ユニットの分解図である。図１１及び図１２は、この発明の一実施の形態に係る照明ユニットと結像ユニットとを主走査方向から見た側面図である。図１１は、照明ユニットと結像ユニットとを組み立てた状態を示す。図１２は、照明ユニットと結像ユニットとが分離した状態を示す。
【００１８】
全図を通じて、同一符号は、同一又は相当部分を示しそれらについての重複する説明は省略する。
【００１９】
＜＜画像読取装置１０２の構成＞＞
本発明の一実施の形態に係る画像読取装置１０２は、図１に示すように、概ね、読取対象物１に光を照射する照明ユニット（照明光源）１００と、読取対象物１での反射光を基に結像する結像ユニット（結像光学系）１０１とから構成されるものである。なお、読取対象物１は、画像読取装置１０２によって読み取る対象となる物（対象物）であって、典型的には原稿である。読取対象物は、被写体などと称されてもよい。
【００２０】
照明ユニット１００は、画像読取装置１０２の長手方向（画像読取装置の主走査方向に相当する）に延在する。なお、画像読取装置１０２の長手方向に直交する短手方向は、画像読取装置の副走査方向に相当する。
【００２１】
結像ユニット１０１は、読取対象物１から反射された光をセンサに集光し、そのセンサで読取対象物１の表面（照明ユニット１００からの光が照射される面）に表された情報を電気信号に変換する。
【００２２】
＜照明ユニット１００の構成＞
照明ユニット１００の構成について、図２〜図９を参照して説明する。
【００２３】
照明ユニット１００は、図２に示すように、概ね、主走査方向へ光を導きながら射出する導光体２，３と、光を放射する光源４〜７と、導光体２，３の端部を保持する導光体ホルダ８，９と、導光体２，３を支持して固定する導光体保持材２２と、照明ユニット１００を構成する各部品が収容される板金部材（筐体）２３と、導光体保持材２２を板金部材２３に固定するための遮光性を有する遮光材２５，２６とを備える。
【００２４】
同図に示すように、導光体２は、長手方向に延在する透明な柱状の部材である。導光体２は、典型的には、透明な樹脂を材料として成形される。導光体２の導光体端面２ａ，２ｂ及び長手方向から見た断面は、概ね、円弧状の部分に３つの直線を接続した形状をなす（例えば、図２，５，８参照）。
【００２５】
導光体２は、導光体２の内部で導かれる光を散乱させて読取対象物１へ向けて射出させる光散乱領域２ｃと、導光体２の位置を導光体保持材２２に対して固定するための導光体固定部２ｄとを有する。
【００２６】
本実施の形態の光散乱領域２ｃは、図９に示すように、導光体端面２ａ，２ｂ及び導光体２の断面にて直線で構成される部分に形成される。本実施の形態の導光体固定部２ｄは、図２に示すように、長手方向の中央にて外方へ突き出た突起である。
【００２７】
導光体３は、導光体２と同様に、長手方向に延在する透明な柱状の部材である。導光体３は、その長手方向と導光体２の長手方向とが平行となるように配置される。
【００２８】
導光体３は、導光体２と同様に、典型的には、透明な樹脂を材料として成形される。導光体３の導光体端面３ａ，３ｂ及び長手方向から見た断面は、導光体２と同様に、概ね、円弧状の部分に３つの直線を接続した形状をなす（例えば、図２，５，８参照）。
【００２９】
導光体３は、導光体２と同様に、導光体３の内部で導かれる光を散乱させて読取対象物１へ向けて射出させる光散乱領域３ｃと、導光体３の位置を導光体保持材２２に対して固定するための導光体固定部３ｄとを有する。
【００３０】
本実施の形態の光散乱領域３ｃは、図９に示すように、導光体端面３ａ，３ｂ及び導光体３の断面にて直線で構成される部分に形成される。本実施の形態の導光体固定部３ｄは、図２に示すように、長手方向の中央にて外方へ突き出た突起である。
【００３１】
なお、導光体２，３の長手方向は、画像読取装置１０２の主走査方向に相当する。
【００３２】
なお、導光体２，３の導光体端面２ａ，２ｂ，３ａ，３ｂ及び断面は、上述の形状に限られず、例えば円形など他の形状が採用されてもよい。また、導光体２，３のそれぞれに光散乱領域２ｃ，３ｃが設けられる領域は、上述の部分に限られず、読取対象物１に光を照射できるように適宜設けられればよい。導光体２，３のそれぞれに導光体固定部２ｄ，３ｄが設けられる位置は、導光体２，３の長手方向の中央に限られず、他の位置であってもよい。
【００３３】
光源４〜７のそれぞれは、例えばＬＥＤ光源などの光源素子であり、放射面４ａ〜７ａから光を放射する（図２，３参照）。
【００３４】
光源４と光源６とは、共通の基板である光源基板１８に取り付けられる。光源４は、放射面４ａが導光体端面２ａに対向して配置される。光源４が発光することによって、その光が、導光体２の一方の端面としての導光体端面２ａから導光体２へ入射する。光源５は、放射面５ａが導光体端面２ｂに対向して配置される。光源５が発光することによって、その光が、導光体２の他方の端面としての導光体端面２ｂから導光体２へ入射する。
【００３５】
光源５と光源７とは、共通の基板である光源基板１９に取り付けられる。光源６は、放射面６ａが導光体端面３ａに対向して配置される。光源６が発光することによって、その光が、導光体３の一方の端面としての導光体端面３ａから導光体３へ入射する。光源７は、放射面７ａが導光体端面３ｂに対向して配置される。光源７が発光することによって、その光が、導光体３の他方の端面としての導光体端面３ｂから導光体３へ入射する。
【００３６】
導光体ホルダ８と導光体ホルダ９とは、図２に示すように、導光体２と導光体３とを挟んで主走査方向に対向して配置される。
【００３７】
導光体ホルダ８の構成について、図４Ａ及び図４Ｂを参照して説明する。なお、導光体ホルダ９は、導光体ホルダ８と同様の構成を備えており、以下の導光体ホルダ８の構成及び説明図４Ａ，４Ｂの括弧内の符号は、導光体ホルダ９の対応する構成要素の符号を示す。
【００３８】
導光体ホルダ８（９）は、デバイス取付部８ａ（９ａ）と、光源反射材取付部８ｂ（９ｂ）と、保持材嵌合部（第２穴部）８ｃ（９ｃ）と、導光体保持部８ｄ（９ｄ）と、位置決め穴部（第１穴部）８ｅ，８ｆ（９ｅ，９ｆ）とを有する。
【００３９】
デバイス取付部８ａ（９ａ）は、後述する光学デバイス１０，１２（１１，１３）が取り付けられる部位（面）である。光源反射材取付部８ｂ（９ｂ）は、後述する光源反射材１４，１６（１５，１７）が取り付けられる部位（面）である。
【００４０】
デバイス取付部８ａ（９ａ）と光源反射材取付部８ｂ（９ｂ）とは、図４Ｂに示すように、光源４，６（５，７）が取り付けられる側に設けられた穴の側壁(面）を形成する。デバイス取付部８ａ（９ａ）と光源反射材取付部８ｂ（９ｂ）とにより形成される穴は、主走査方向から見て、主走査方向にそれぞれ対応付けられた光学デバイス１０，１２（１１，１３）及び光源反射材１４，１６（１５，１７）が嵌まる形状を有する。
【００４１】
保持材嵌合部８ｃ（９ｃ）は、導光体保持材２２の主走査方向の両端から主走査方向に突き出た突起部２２ｃ（２２ｄ）が挿入されることによって、その突起と嵌合する部位である。保持材嵌合部８ｃ（９ｃ）は、主走査方向に貫通して導光体ホルダ８（９）の底部に設けられた穴を形成している。
【００４２】
導光体保持部８ｄ（９ｄ）は、導光体２，３の端部を保持する部位であって、導光体２，３のそれぞれの端部を保持する。導光体保持部８ｄ（９ｄ）は、図４Ａに示すように、導光体２，３が延在する側に設けられた穴の側壁（面）である。
【００４３】
デバイス取付部８ａ（９ａ）と、光源反射材取付部８ｂ（９ｂ）と、導光体保持部８ｄ（９ｄ）とは、例えば図４Ａ及び図４Ｂに示すように、導光体ホルダ８（９）に平行に設けられた２つの貫通穴８ｇ（９ｇ）の側壁となる面を形成する部位である。
【００４４】
すなわち、導光体ホルダ８，９の貫通穴８ｇ，９ｇによって、導光体２，３と光源４〜７との位置関係が規定される。
【００４５】
詳細には、導光体ホルダ８が有する貫通穴８ｇの一方は、主走査方向に延在する導光体２の導光体端面２ａを有する端部（導光体２の一方の端部）が挿入されるとともに、光源４が導光体端面２ａに対向してその内部に配置されるものである。導光体ホルダ８が有する貫通穴８ｇの他方は、主走査方向に延在する導光体３の導光体端面３ａを有する端部（導光体３の一方の端部）が挿入されるとともに、光源６が導光体端面３ａに対向してその内部に配置されるものである。
【００４６】
また、導光体ホルダ９が有する貫通穴９ｇの一方は、主走査方向に延在する導光体２の導光体端面２ｂを有する端部（導光体２の他方の端部）が挿入されるとともに、光源５が導光体端面２ｂに対向してその内部に配置されるものである。導光体ホルダ９が有する貫通穴９ｇの他方は、主走査方向に延在する導光体３の導光体端面３ｂを有する端部（導光体３の他方の端部）が挿入されるとともに、光源７が導光体端面３ｂに対向してその内部に配置されるものである。
【００４７】
位置決め穴部８ｅ，８ｆ（９ｅ，９ｆ）は、照明ユニット１００に対して結像ユニット１０１を位置決めするための部位である。位置決め穴部８ｅ，８ｆ（９ｅ，９ｆ）は、導光体ホルダ８（９）の底部に設けられた穴であって、主走査方向と副走査方向とのいずれにも垂直な方向（垂直方向）に伸びており、本実施の形態では垂直方向に貫通している。
【００４８】
光学デバイス１０〜１３のそれぞれは、ＩＲ（ｉｎｆｒａｒｅｄ）カットフィルタ等の波長変換性のある薄型の光学デバイスである。
【００４９】
光源反射材１４〜１７のそれぞれは、光源４〜７と光学デバイス１０〜１３との間に介在する。光源反射材１４〜１７のそれぞれは、図２及び図３に示すように、主走査方向に貫通する貫通穴を形成する反射材開口部１４ｂを有する。また、光源反射材１４〜１７のそれぞれは、図２及び図３に示すように、反射材開口部１４ｂ〜１７ｂの表面に設けられた光源反射部１４ａ〜１７ａを有する。光源反射部１４ａ〜１７ａのそれぞれは、光を高い反射率で反射する鏡面を形成し、それによって、放射面４ａ〜７ａから放射された光のほぼすべてを光学デバイス１０〜１３へ導く。
【００５０】
なお、反射材開口部１４ｂを主走査方向から見た形状は、本実施の形態では円形であるが、適宜変更されてもよい。
【００５１】
詳細には、光学デバイス１０と光源反射材１４とは、それぞれ、導光体ホルダ８の導光体２が挿入される方の貫通穴８ｇを形成するデバイス取付部８ａと光源反射材取付部８ｂとに接触して取り付けられる。これによって、図５に示すように、光学デバイス１０は、光源４と導光体２（導光体端面２ａ）との間に配置され、光源反射材１４の反射材開口部１４ｂを通じて光源４の放射面４ａと対向する。
【００５２】
光学デバイス１１と光源反射材１５とは、それぞれ、導光体ホルダ９の導光体２が挿入される方の貫通穴９ｇを形成するデバイス取付部９ａと光源反射材取付部９ｂとに接触して取り付けられる。これによって、光学デバイス１１は、光源５と導光体２（導光体端面２ｂ）との間に配置され、光源反射材１５の反射材開口部１５ｂを通じて光源５の放射面５ａと対向する。
【００５３】
光学デバイス１２と光源反射材１６とは、それぞれ、導光体ホルダ８の導光体３が挿入される方の貫通穴８ｇを形成するデバイス取付部８ａと光源反射材取付部８ｂとに接触して取り付けられる。これによって、光学デバイス１２は、光源６と導光体３（導光体端面３ａ）との間に配置され、光源反射材１６の反射材開口部１６ｂを通じて光源６の放射面６ａと対向する。
【００５４】
光学デバイス１３と光源反射材１７とは、それぞれ、導光体ホルダ９の導光体３が挿入される方の貫通穴９ｇを形成するデバイス取付部９ａと光源反射材取付部９ｂとに接触して取り付けられる。これによって、光学デバイス１３は、光源７と導光体３（導光体端面３ｂ）との間に配置され、光源反射材１７の反射材開口部１７ｂを通じて光源７の放射面７ａと対向する。
【００５５】
主走査方向から見て、反射材開口部１４ｂを大きさは、光源４の放射面４ａより大きく、反射材開口部１４ｂより小さくてよい（図３，５参照）。これにより、光源４から放射された光が、導光体ホルダ８の内部で拡散反射されたり、導光体端面２ａで生じる鏡面反射されたりすることを抑制することができる。そのため、光源４から放射された光を効率よく導光体端面２ａに入射させることができる。
【００５６】
また、主走査方向から見て、反射材開口部１４ｂは、導光体端面２ａより小さくてもよい。これにより、光学デバイス１０には、導光体端面２ａの全面を覆うよりも小さい面積のものを適用することができる。このような光学デバイス１０を適用することによって、導光体端面２ａの全面を覆う大きさの光学デバイスを適用するよりも、低コスト化を図ることができる。
【００５７】
従って、光学デバイス１０と光源反射材１４とを用いることによって、光源４からの光を効率よく供給しつつ低コスト化を図ることができる。光学デバイス１１〜１３と光源反射材１５〜１７と放射面５ａ〜７ａとのそれぞれの組み合わせについても、同様である。
【００５８】
図６、図７に示すように、導光体保持材２２は、導光体２，３が載置される部材であって、主走査方向に長いものである。
【００５９】
導光体保持材２２の材料は、白色樹脂、アルミなどの反射率の高いものが望ましく、これによって、導光体２，３それぞれの光散乱領域２ｃ，３ｃを透過した光を反射して、導光体２，３に再入射させることができる。なお、導光体保持材２２は、必要な照度に応じて、黒色樹脂等の反射率の低い材料で作られ、光散乱領域２ｃ，３ｃと接する部分に白色塗装、白色テープ、白色樹脂材、光反射金属テープ等が設けられていてもよい。
【００６０】
導光体保持材２２は、長手方向に延在する導光体２及び導光体３を固定するための導光体保持部２２ａ，２２ｂと、導光体ホルダ８，９に対して位置決めするための突起部２２ｃ（２２ｄ）と、読取対象物１からの反射光を結像ユニット１０１へ通過させるための開口部２２ｅとを有する。
【００６１】
導光体保持部２２ａと導光体保持部２２ｂのそれぞれは、主走査方向の中央に設けられて、導光体固定部２ｄと導光体固定部３ｄとに係合する爪を有する部位である。導光体保持部２２ａが導光体固定部２ｄと係合することによって、導光体２が導光体保持材２２に固定される。導光体保持部２２ｂが導光体固定部３ｄと係合することによって、導光体３が導光体保持材２２に固定される。材料の熱線膨張係数の違いによって、主走査方向の中央を基準として、導光体端面２ａ，２ｂのそれぞれと光源４，５との距離が変化するとともに、導光体端面３ａ，３ｂのそれぞれと光源６，７との距離が変化することがあるが、温度が変化した場合であっても各部品は干渉しないように構成されている。
【００６２】
突起部２２ｃ（２２ｄ）は、主走査方向の両端のそれぞれから主走査方向に突き出た部位であり、垂直方向から見て導光体２と導光体３との間の中央に設けられる。
【００６３】
突起部２２ｃは導光体ホルダ８の保持材嵌合部８ｃに挿入される。また、突起部２２ｄは導光体ホルダ９の保持材嵌合部９ｃに挿入される。これによって、導光体保持材２２に対して、導光体ホルダ８，９の副走査方向（短手方向）の位置と垂直方向（高さ方向）の位置とが規定される。そのため、例えば導光体ホルダ８，９を基準にして光源４〜７と導光体２，３と導光体保持材２２とを組み立てることによって、これらの部品２〜７，２２の副走査方向及び垂直方向それぞれの位置が精度良く決まる。その結果、光放射に関する部品２〜７，２２の相対位置を精度良く組立てることができる。
【００６４】
開口部２２ｅは、主走査方向に長く伸びて、垂直方向に（導光体２，３の保持側からその反対側へ）貫通する開口（孔）を形成している。開口部２２ｅは、垂直方向から見て、突起部２２ｃ及び突起部２２ｄを結ぶ線上、即ち導光体２と導光体３との間の中央を中心線として主走査方向に延在する。この開口部２２ｅによって、読取対象物１から反射された光は、照明ユニット１００側から結像ユニット１０１へ貫通する。
【００６５】
板金部材２３は、図２に示すように、導光体２，３、光源４〜７、導光体ホルダ８，９及び導光体保持材２２を収納又は保持する部材である。板金部材２３は、例えば、長手方向の両端部が折り曲げる板金によって作られる。なお、本実施の形態の板金部材２３は、照明ユニット１００の筐体の一例であって、板金で作られたものでなくてもよい。
【００６６】
板金部材２３は、読取対象物１からの反射光を結像ユニット１０１へ通過させるための開口部２３ａと、主に光源４〜７が発する熱が伝えられる伝熱面２３ｂ，２３ｃとを有する。
【００６７】
開口部２３ａは、板金部材２３の短手方向の中央にて長手方向に延在して垂直方向に（導光体２，３の保持側からその反対側へ）貫通する開口（孔）を形成している。この開口部２３ｅによって、読取対象物１から反射された光は、照明ユニット１００側から結像ユニット１０１へ貫通する。すなわち、開口部２３ａは、導光体保持材２２の開口部２２ｅと垂直方向に対応付けて設けられており、読取対象物１から反射された光は、開口部２２ｅと開口部２３ａとを通過して、結像ユニット１０１へ進む。
【００６８】
伝熱面２３ｂ，２３ｃは、それぞれ、板金部材２３の主走査方向の側部の内面であって、伝熱体２０，２１がねじ２４によって取り付けられる。
【００６９】
ここで、伝熱体２０，２１は、それぞれ、導光体ホルダ８，９に光源基板１８，１９とともに取り付けられて、光源４〜７が発する熱を伝導する部材である。伝熱体２０，２１は、それぞれ、光源基板１８，１９が取り付けられた面とは反対側の面が、伝熱面２３ｂ，２３ｃに接触するように取り付けられる。
【００７０】
このように、導光体ホルダ８，９のそれぞれを伝熱面２３ｂ，２３ｃにねじ２４によって固定することで、光源４〜７が発した熱は、光源基板１８，１９と伝熱体２０，２１とを介して伝熱面２３ｂ，２３ｃへ伝わる。そして、板金部材２３は、伝熱面２３ｂ，２３ｃのそれぞれへ伝達した熱を、より広く全体に拡散して外部へ放出する。これにより、光源４〜７、光源基板１８，１９などを冷却して、これらの過熱を防止することができる。従って、板金部材２３は、熱伝導率のよい金属板金材料で作られることが望ましい。また、板金部材２３の短手方向の両端部にも、熱を拡散させて外部へ放出させる面積を広げて放熱性を向上させるために曲げ部をさらに設けてもよい。
【００７１】
遮光材２５，２６は、遮光性の高い両面粘着シートであって、導光体保持材２２と板金部材２３とのそれぞれの底部の間に設けられる。
【００７２】
遮光材２５，２６のそれぞれは、図２に示すように、開口部２３ａを介して対称な位置に設けられ、かつ、上述のように遮光性を有する。そのため、遮光材２５，２６によって、導光体２，３から放射されて導光体保持部２２ａ，２２ｂのそれぞれの下方の穴を通って開口部２３ａに入る光を遮光することができる。
【００７３】
また、遮光材２５，２６は、上述のように粘着性を有するので、導光体保持材２２を板金部材２３に固定することができる。そのため、導光体保持材２２と板金部材２３とを固定するために転結部材（ねじなど）を新たに設ける必要がないので、遮光材２５，２６によって、低コスト化を図ることができる。
【００７４】
＜結像ユニット１０１の構成＞
結像ユニット１０１について、図９〜図１２を参照して説明する。
【００７５】
結像ユニット１０１は、主走査方向に長い概ね箱状のユニットであって、図９に示すように照明ユニット１００の下方に配置される。
【００７６】
結像ユニット１０１は、ベース２７と、反射板２８、凹型の第１レンズミラー２９と、凹型の第２レンズミラー３０と、センサ基板３１と、センサ基板ホルダ３２と、スタンド（枠体の側壁部）３３，３４とを有する。
【００７７】
ベース２７は、結像ユニット１０１を構成する各部品を支持する概ね平板状の部材である。ベース２７は、読取対象物１の設置位置と互いに対向するように配置される。ベース２７は、垂直方向から見て、概ね矩形をなし、四隅の各近傍には垂直方向に貫通する位置決め穴２７ａ〜２７ｄが設けられる。
【００７８】
反射板２８は、概ね、主走査方向に長さを有する矩形平板状の部材であって、光を透過させる光透過部２８ａと、光を反射する光反射部（平面鏡部）２８ｂとを有する。
【００７９】
光透過部２８ａは、反射板２８の副走査方向の中央部に設けられる透明な部分であって、主走査方向に延在する。光透過部２８ａは、開口部２３ａの下方に配置される。
【００８０】
光反射部２８ｂは、光透過部２８ａの副走査方向の両側にて垂直方向を法線方向として下面に設けられる平面鏡を構成する部分であって、主走査方向に延在する。すなわち、光反射部２８ｂの各々は、副走査方向に互いに並行に配置される。
【００８１】
第１レンズミラー２９は、図１０に示すように、主走査方向に２列ベース上に設けられる。各列の第１レンズミラー２９は、主走査方向に離散的に、複数配置されている。図９は、主走査方向に垂直な面において、主走査方向に２列ベース上に設けられる第１レンズミラー２９同士が重複している部分の断面図である。第１レンズミラー２９の各々は、概ね斜め上方に光を集光させる光学部材である。第１レンズミラー２９は、概ね光透過部２８ａの下方に設けられ、読取対象物１に対向する。
【００８２】
第２レンズミラー３０は、図１０に示すように、第１レンズミラー２９と同様に配置される。すなわち、第２レンズミラー３０は、主走査方向に２列ベース上に設けられる。各列の第２レンズミラー３０は、主走査方向に離散的に、複数配置されている。第２レンズミラー３０の各々は、概ね斜め上方に光を集光させる光学部材である。第２レンズミラー３０は、副走査方向に、第１レンズミラー２９の各々の外側に配置される。
【００８３】
センサ基板３１は、概ね平板矩形状の基板であって、受光した光に応じた電気信号を出力する素子などから構成される受光部３１ａが取り付けられる。
【００８４】
センサ基板ホルダ３２は、図９に示すように、ベース２７上に固定して設けられる部材であって、主走査方向に延びる開口を有するアパーチャー部３２ａと、主走査方向に延びる開口を形成するスリット部３２ｂとを有する。垂直方向から見て（平面視）、アパーチャー部３２ａは、光透過部２８ａを挟んで平行に２つ設けられており、スリット部３２ｂは、２つのアパーチャー部３２ａを挟んで平行に２つ設けられている（図９参照）。
【００８５】
詳細には、アパーチャー部３２ａは、主走査方向に延びる開口と、この開口の周囲に設けられて遮光する遮光部とを有しており、これによって、光を選択的に通過させる。
【００８６】
スリット部３２ｂの開口に受光部３１ａが配置されるように、センサ基板３１がセンサ基板ホルダ３２に取り付けられる。すなわち、センサ基板３１は、センサ基板ホルダ３２上に固定されることで、垂直方向及び副走査方向の位置が規定される。
【００８７】
このように構成することによって、図９に示すように、読取対象物１から反射された光は、開口部２３ａと光透過部２８ａとを通り第１レンズミラー２９にて集光して反射される。第１レンズミラー２９で反射した光は、平面鏡部２８ｂで反射し、アパーチャー部３２ａ（の開口）を通過して第２レンズミラー３０へ進む。第２レンズミラー３０に進んだ光は、第２レンズミラー３０にてさらに集光されて、スリット部３２ｂ（の開口）に設けられた受光部３１ａに進んで受光される。これによって、読取対象物１で反射された光が、受光部３１ａにて結像する。受光部３１ａは、受光した光に含まれる画像情報を読み取り、電気信号に変換して出力する。
【００８８】
アパーチャー部３２ａは、上述のように選択的に光を通過させるように構成されるので、平面鏡部２８ｂで反射した光（平面鏡部からの光）を選択的に通過させる。これによって、画像読取範囲を決めることができる。
【００８９】
光透過部２８ａを通過してから受光部３１ａに受光されるまで、第１レンズミラー２９、光反射部２８ｂ、第２レンズミラー３０を順に繰返し反射させているので、光路を長くすることができる。これによって、省スペース化を図りつつ、画像読取装置１０２の焦点深度を深くすることが可能になる。
【００９０】
なお、第１レンズミラー２９及び第２レンズミラー３０はともにベース２７上に配置されていればよく、集光させるレンズミラー面のみ反射率の高い材料があれば、第１レンズミラー２９及び第２レンズミラー３０を分けなくても良い。また、ベース２７上にレンズミラー形状を形成することによって、ベース２７と第１レンズミラー２９と第２レンズミラー３０とが一体化されてもよい。
【００９１】
上述のように、第１レンズミラー２９と第２レンズミラー３０とは、主走査方向に複数個２列ずつ配置されている。受光部３１ａも、第１レンズミラー２９と第２レンズミラー３０とを経由した光を受光できるように、主走査方向に複数個２列設けられるとよい。また、受光部３１ａも、第１レンズミラー２９及び第２レンズミラー３０と同様に、主走査方向に離散的に配置されるとよい。このように構成することで、第１レンズミラー２９及び第２レンズミラー３０のそれぞれに対応した受光部３１ａにのみ画像情報を受光させることができ、良好な画像情報を得ることができる。従って、第１レンズミラー２９及び第２レンズミラー３０は、受光部３１ａ毎に主走査方向に区切られるとよい。すなわち、例えば、センサ基板ホルダ３２は、主走査方向に隣り合うレンズミラーの干渉を防止するための壁を備えるとよい。
【００９２】
受光部３１ａは、主走査方向に離散的に設けられる一方で、副走査方向に２列設けられる。これによって、受光部３１ａは、副走査方向に２列の光に含まれる画像を読み取ることができるので、主走査方向の画像情報を重複して入手することができる。これによって、受光する画像情報を補完することができるので、さらに良好な画像情報を得ることが可能になる。また、第１レンズミラー２９及び第２レンズミラー３０を主走査方向に複数個配置し、１個あたりの主走査方向の長さを短くすることで、熱線膨張によるレンズミラーの歪みを抑えることができるため、熱による変化が生じた場合でも良好な画像情報を得ることができる。
【００９３】
スタンド３３，３４は、ベース２７の主走査方向の両端部の各々に、互いに対向して設けられる部材である。スタンド３３，３４は、センサ基板ホルダ３２とともに枠体を構成する。
【００９４】
ここで、枠体は、光反射部２８ｂ、アパーチャー部３２ａ、受光部３１ａなどの結像ユニット１０１を構成する各部材を収納又は保持する部材である。本実施の形態では、枠体は、ベース２７上に固定して設けられるスタンド３３，３４とセンサ基板ホルダ３２とで構成され、スタンド３３，３４が枠体の主走査方向の端部を構成し、センサ基板ホルダ３２が、スタンド３３，３４の間の壁部を構成する。なお、枠体は、一体に形成されてもよい。また、ベース２７とスタンド３３，３４とセンサ基板ホルダ３２とが一体に形成されてもよい。
【００９５】
スタンド３３は、図１０に示すように、上部に設けられて上方へ突き出た位置決めボス（突起部）３３ａ，３３ｂと、反射板２８を保持する反射板保持部３３ｃと、下部に設けられて下方へ突き出た位置決めボス（図示せず）とを有する。
【００９６】
スタンド３４は、図１０に示すように、上部に設けられて上方へ突き出た位置決めボス（突起部）３４ａ，３４ｂと、反射板２８を保持する反射板保持部３４ｃと、下部に設けられて下方へ突き出た位置決めボス３４ｄ，３４ｅとを有する。
【００９７】
ここで、図１１は、照明ユニット１００と結像ユニット１０１とが結合することで、画像読取装置１０２として完成した状態を示す図である。図１２は、照明ユニット１００と結像ユニット１０１とが分離した状態を示す図である。
【００９８】
図１１に示すように、スタンド３４の位置決めボス３４ａは、導光体ホルダ９の位置決め穴９ｅに挿入される（嵌合する）。また、同図に示すように、スタンド３４の位置決めボス３４ｂは、導光体ホルダ９の位置決め穴９ｆに挿入される（嵌合する）。
【００９９】
スタンド３３の位置決めボス３３ａ，３３ｂのそれぞれも、同様に、導光体ホルダ８の位置決め穴８ｅ，８ｆに挿入される（嵌合する）。
【０１００】
図１２に示す状態から、例えば照明ユニット１００を垂直方向の下方に移動させることで、照明ユニット１００と結像ユニット１０１とが結合する。
【０１０１】
位置決めボス３３ａ，３３ｂ，３４ａ，３４ｂのそれぞれと、位置決め穴８ｅ，８ｆ，９ｅ，９ｆとは、図９に示すように、読取対象物１で反射された散乱光の光軸が、反射板２８の光透過部２８ａと通って、第１レンズミラー２９へ進むように位置決めされている。そのため、位置決めボス３３ａ，３３ｂ，３４ａ，３４ｂのそれぞれと、位置決め穴８ｅ，８ｆ，９ｅ，９ｆとを嵌合させるだけで、スタンド３３，３４と導光体ホルダ８，９（照明ユニット１００と結像ユニット１０１）との主走査方向及び長手方向の位置を精度良く組み立てることができる。
【０１０２】
反射板保持部３３ｃと反射板保持部３４ｃとは、水平な面によって反射板２８を支持するとともに反射板２８の四隅を係止することで、結像ユニット１０１における反射板２８の位置を規定する。これによって、結像ユニット１０１における反射板２８の位置を精度よく、組み立てることができる。
【０１０３】
スタンド３３の下方へ突き出た位置決めボスは、ベース２７の位置決め穴２７ａ，２７ｂに嵌合する。これによって、ベース２７に対するスタンド３３の位置を精度よく、組み立てることができる。また、スタンド３４の位置決めボス３４ｄ，３４ｅは、ベース２７の位置決め穴２７ｃ，２７ｄに嵌合する。これによって、ベース２７に対するスタンド３４の位置を精度よく、組み立てることができる。
【０１０４】
このようにスタンド３３，３４によって、ベース２７に対する照明ユニット１００の主走査方向及び副走査方向の位置を精度良く決定することができる。また、スタンド３３，３４によって、ベース２７に対する反射板２８と照明ユニット１００との垂直方向（高さ方向）の位置を精度良く決定することができる。
【０１０５】
＜＜画像読取装置１０２の動作＞＞
この発明の一実施の形態に係る画像読取装置１０２の動作について説明する。
【０１０６】
光源４，５から発せられた光は、導光体２の内部を主走査方向に進むとともに、光散乱領域２ｃで反射され、導光体２から読取対象物１へ向けて射出される。同様に、光源６，７から発せられた光は、導光体３の内部を主走査方向に進むとともに、光散乱領域３ｃで反射され、読取対象物１へ向けて導光体３から射出される。
【０１０７】
導光体２、３からの射出光は、読取対象物１に照射され、読取対象物１で反射される。読取対象物１で反射された散乱光は、導光体２と導光体３との間、導光体保持材２２の開口部２２ｅ、板金部材２３の開口部２３ａ、反射板２８の光透過部２８ａを順に通過し、凹型の第１レンズミラー２９へ進む。
【０１０８】
第１レンズミラー２９へ進んだ光は、第１レンズミラー２９で、副走査方向の外側に傾斜させてコリメートした光として上方へ反射される。
【０１０９】
ここで、副走査方向の外側とは、画像読取装置１０２を垂直方向から見て、読取対象物１へ光が照射する主走査方向の線状領域から、副走査方向のそれぞれへ向かう方向である。すなわち、図９において副走査方向の外側とは、右側の第１レンズミラー２９では右方向、左側の第１レンズミラー２９では左方向である。
【０１１０】
第１レンズミラー２９での光は、反射板２８の光反射部２８ｂにて、副走査方向の外側に傾斜させて下方へ反射される。光反射部２８ｂで反射された光は、略平行な光線束となってアパーチャー部３２ａを通過する。ここで、アパーチャー部３２ａの開口によって、上述のように、通過する光が限定される。
【０１１１】
アパーチャー３２ａ部を通過した光は、第２レンズミラー３０へ進む。第２レンズミラー３０へ進んだ光は、第２レンズミラー３０にて副走査方向の外側に傾斜させて上方へ反射される。第２レンズミラー３０にて反射された光は、光束ごとに受光部３１ａに入射する。このように進んだ光に含まれる画像情報は、受光部３１ａの受光面では倒立像となって結像する。
【０１１２】
＜＜画像読取装置１０２の製造方法＞＞
この発明の一実施の形態に係る画像読取装置１０２の製造方法を説明する。
【０１１３】
画像読取装置１０２の製造方法は、基本構成（基本工程）として、光源基板組立工程、照明ユニット組立工程、結像ユニット組立工程、及び、画像読取装置組立工程を含む。これらの工程のうち、光源基板組立工程と、照明ユニット組立工程と、結像ユニット組立工程とは、画像読取装置組立工程の前に行われる。
【０１１４】
画像読取装置１０２は上述のように、主走査方向及び副走査方向に概ね対称である。そのため、各工程の説明において、対称な構成要素の一方に関する説明は、対称な構成要素の他方に関しても同様である。
【０１１５】
＜光源基板組立工程＞
光源基板組立工程について説明する。
【０１１６】
光源４，６が光源基板１８に実装される。光源５，７が光源基板１９に実装される。
【０１１７】
なお、光源基板１８，１９に実装する光源４〜７の数量は、必要な光量に応じて適宜変更されてもよい。また、単色光源を用いて必要な光が、配色されてもよい。
【０１１８】
伝熱体２０が、光源基板１８の光源４，６を実装する面の反対側の面に配置される。伝熱体２１が、光源基板１９の光源５，７を実装する面の反対側の面に配置される。
【０１１９】
なお、伝熱体２０はシートのような固形物ではなく、液状の材料であってもよい。
【０１２０】
＜照明ユニット組立工程＞
ここから、照明ユニット組立工程について説明する。
【０１２１】
導光体２の導光体端面２ａと導光体３の導光体端面３ａが、それぞれ、導光体ホルダ８の導光体保持部８ｄに挿入される。導光体２の導光体端面２ｂと導光体３の導光体端面３ｂが、それぞれ、導光体ホルダ９の導光体保持部９ｄに挿入される。
【０１２２】
これによって、導光体２，３のそれぞれが、導光体保持部８ｄ，９ｄに嵌合する。導光体２，３について、長手方向を中心とした回転方向の角度と、垂直方向の位置と、副走査方向の位置とが定まる。その結果、導光体２，３から読取対象物１に照射される光量及び光量分布が定まる。
【０１２３】
光学デバイス１０，１２が、導光体ホルダ８の導光体保持部８ｄの反対側に設けられたデバイス取付部８ａのそれぞれに固定される。その後、光源反射材１４，１６が、導光体ホルダ８の光源反射材取付部８ｂのそれぞれに固定される。
【０１２４】
同様に、光学デバイス１１，１３が、導光体ホルダ９の導光体保持部９ｄの反対側に設けられたデバイス取付部９ａのそれぞれに固定される。その後、光源反射材１５，１７が、導光体ホルダ９の光源反射材取付部９ｂのそれぞれに固定される。
【０１２５】
このように、例えば、光学デバイス１０（１２）と光源反射材１４（１６）とは、この順で導光体ホルダ８に取り付けられる。これによって、光源４（６）の放射面４ａ（６ａ）から放射される光を光源反射部１４ａで反射させることができる。
【０１２６】
そのため、光学デバイス１０（１２)の大きさは、反射材開口部１４ｂ（１６ｂ）を十分に覆うことができる程度であればよいことになり、導光体端面２ａ（３ａ）の面積より狭くすることができる。
【０１２７】
その結果、導光体端面２ａ（３ａ）を十分に覆うことができる程度の大きさの光学デバイス１０（１２）を採用していた従来よりも、光学デバイス１０（１２）の大きさを小さくすることができる。従って、画像読取装置１０２の低コスト化を図ることが可能になる。
【０１２８】
なお、光学デバイス１０は、典型的には、両面テープ、接着剤などを用いて固定される。しかし、光学デバイス１０自体が接着性を有する場合、光源反射材１４と導光体ホルダ８とが嵌め合いによって固定される場合などには、光学デバイス１０が導光体ホルダ８に積極的に接着されなくてもよい。光学デバイス１１についても、同様に、導光体ホルダ８に積極的に接着されなくてもよい。光学デバイス１２，１３のそれぞれについても、同様に、導光体ホルダ９に積極的に接着されなくてもよい。
【０１２９】
光源基板１８が、導光体ホルダ８に固定される。このとき、光源４，６のそれぞれが貫通穴８ｇの中に配置されるように、光源基板１８は、その光源４，６が実装された面を導光体ホルダ８に向けて導光体ホルダ８に固定される。これによって、光源４，６のそれぞれが、導光体端面２ａ，３ａに対向する。
【０１３０】
なお、導光体ホルダ８と光源基板１８とは、両者を位置決めするための位置決めピンと位置決め穴とを有するとよい。例えば、導光体ホルダ８が位置決めピンを有し、光源基板１８が位置決め穴を有するとよい。このような位置決めピンと位置決め穴とを嵌め合わせることで、導光体ホルダ８に対する光源基板１８の垂直方向及び副走査方向の位置が定まる。
【０１３１】
同様に、光源基板１９が、導光体ホルダ９に固定される。
【０１３２】
導光体２の長手方向の中央部（導光体２の端部（導光体ホルダ８，９に嵌合する部分）を除く部分）と、導光体３の長手方向の中央部とは、導光体保持材２２に取り付けられる。
【０１３３】
このとき、導光体保持部２２ａ，２２ｂに導光体固定部２ｄ，３ｄが係合又は嵌合することによって、導光体２，３のそれぞれの中央部について、長手方向を中心とした回転方向の角度、主走査方向の位置、副走査方向の位置が定まる。
【０１３４】
また同時に、導光体保持材２２の突起部２２ｃが、導光体ホルダ８の保持材嵌合部８ｃに嵌合し、導光体保持材２２の突起部２２ｄが、導光体ホルダ９の保持材嵌合部９ｃに嵌合する。
【０１３５】
このように、導光体保持材２２によって、導光体２，３のそれぞれの中央部の位置が規定され、導光体２，３のそれぞれの中央部の副走査方向及び垂直方向の位置が定まる。
【０１３６】
導光体保持材２２が、遮光材２５，２６を介在させて板金部材２３に固定される。
【０１３７】
板金部材２３の内部両端に配置された光源基板１８と伝熱体２０と導光体ホルダ８とが、ねじ２４によって固定される。同様に、光源基板１９と伝熱体２１と導光体ホルダ９とが、ねじ２４によって固定される。
【０１３８】
このとき、導光体端面２ａと光学デバイス１０とは、線膨張差による部品干渉が生じないような間隔を空けて設けられる。導光体端面２ｂと光学デバイス１１との位置関係、導光体端面３ａと光学デバイス１２との位置関係、導光体端面３ｂと光学デバイス１４との位置関係のそれぞれについても、同様である。
【０１３９】
同様に、導光体保持材２２と、導光体ホルダ８，９の各々とは、線膨張差による部品干渉が生じないような間隔を空けて設けられる。
【０１４０】
これによって、照明ユニット１００が精度良く組み立てられる。
【０１４１】
＜結像ユニット組立工程＞
ここから、結像ユニット組立工程について説明する。
【０１４２】
第１レンズミラー２９、第２レンズミラー３０、センサ基板ホルダ３２、スタンド３３のそれぞれが、ベース２７に固定される。
【０１４３】
このとき、例えばスタンド３４は、位置決めボス３４ｄ，３４ｅのそれぞれをベース２７の位置決め穴２７ｃ，２７ｄに嵌合させることで、主走査方向及び副走査方向の位置が定まる。
【０１４４】
なお、第１レンズミラー２９とベース２７とは、ベース２７に対して第１レンズミラー２９を位置決めするための位置決めピンと位置決め穴とを有してもよい。例えば、第１レンズミラー２９が位置決めピンを有し、ベース２７が位置決め穴を有するとよい。この位置決めピンを位置決め穴に嵌合させることで、第１レンズミラー２９の主走査方向及び副走査方向の位置を精度良く定めることができる。
【０１４５】
なお、第１レンズミラー２９と第２レンズミラー３０とは、主走査方向に同数配置されてもよく、この場合、副走査方向に同じ位置にある第１レンズミラー２９と第２レンズミラー３０とは、一体の部品とされてもよい。第１レンズミラー２９と第２レンズミラー３０とは、副走査方向の中心を介して対称でなくてもよい。
【０１４６】
第１レンズミラー２９と第２レンズミラー３０とは、上述のように、長手方向に複数個２列ずつ配置されるので、第１レンズミラー２９と第２レンズミラー３０とが温度変化によって歪む変形量を小さくすることができる。
【０１４７】
受光部３１ａが設けられたセンサ基板３１が、センサ基板ホルダ３２に固定される。
【０１４８】
反射板２８が、スタンド３３，３４に固定される。詳細には例えば、反射板２８の四隅が、スタンド３３の反射板保持部３３ｃの壁部に係合することで、主走査方向、副走査方向及び垂直方向の位置が定まる。
【０１４９】
これによって、結像ユニット１０１が精度良く組み立てられる。
【０１５０】
なお、反射板２８の短手方向端面が、スタンド３３の反射板保持部３３ｃの壁部に嵌合することで、副走査方向の位置が定められてもよい。
【０１５１】
なお、反射板２８は、テープ、接着剤等によってスタンド３３，３４に固定されてもよく、ばね材等を用いてスタンド３３，３４に固定されてもよい。また、反射板２８は、照明ユニット１００の下面に固定されてもよい。
【０１５２】
＜画像読取装置組立工程＞
ここから、画像読取装置組立工程について説明する。
【０１５３】
照明ユニット１００と結像ユニット１０１とが結合される。
【０１５４】
詳細には、スタンド３３の位置決めボス３３ａ，３３ｂのそれぞれが、導光体ホルダ８の位置決め穴部８ｅ，８ｆに挿入される。スタンド３４の位置決めボス３４ａ，３４ｂのそれぞれが、導光体ホルダ９の位置決め穴部９ｅ，９ｆに挿入される。これによって、照明ユニット１００と結像ユニット１０１との短手方向及び長手方向の位置が定められる。
【０１５５】
また、照明ユニット１００と結像ユニット１０１とは、垂直方向（深度方向）には、照明ユニット１００側からねじ等の転結部材を用いて固定されてもよいが、使用方法によってはテープ等の接着によって固定されてもよい。
【０１５６】
これによって、導光体ホルダ８を基準に照明ユニット１００と結像ユニット１０１が組立てられ、画像読取装置１０２が完成する。
【０１５７】
このように、導光体ホルダ８，９の貫通穴８ｇ，９ｇに光源４〜７及び導光体２，３を配置することによって、光源４〜７及び導光体２，３の位置関係は、導光体ホルダ８，９に対して規定される。
【０１５８】
また、光反射部２８ｂ、アパーチャー部３２ａ及び受光部３１ａを、センサ基板ホルダ３２とスタンド３３，３４とから構成される枠体に保持させ、かつ、枠体、第１レンズミラー２９及び第２レンズミラー３０をベース２７に載置することによって、第１レンズミラー２９、第２レンズミラー３０、光反射部２８ｂ、アパーチャー部３２ａ及び受光部３１ａの位置関係は、枠体に対して規定される。
【０１５９】
そして、位置決めボス３３ａ，３３ｂ，３４ａ，３４ｂのそれぞれと位置決め穴部８ｅ，８ｆ，９ｅ，９ｆとを嵌合させることによって、導光体ホルダ８，９及び枠体の位置関係が規定される。その結果、光源４〜７、導光体２，３、第１レンズミラー２９、第２レンズミラー３０、光反射部２８ｂ、アパーチャー部３２ａ及び受光部３１ａの位置関係を精度良く決めることができる。
【０１６０】
従って、読取対象物１に照射する照明ユニット１００と読取対象物１から反射される光を結像する結像ユニット１０１との位置関係（主走査方向、副走査方向及び垂直方向（深度方向）の位置）を精度良く決めることが可能となる。すなわち、組み立てによって製造する際に、画像読取装置１０２を構成する各部品（光学系など）の位置関係を精度良く決めることが可能になる。その結果、良好な画像情報を読み取ることが可能になる。
【０１６１】
以上、この発明の一実施の形態について説明したが、この発明はこの実施の形態に限定されるものではなく、例えばこの実施の形態に適宜変更が加えられたものを含む。
【０１６２】
本出願は、２０１３年２月２５日に出願した日本国特許出願２０１３−０３４８２９号に基づく優先権を主張するものである。この特許出願の開示内容は参照により全体として本出願に取り込まれる。
【産業上の利用可能性】
【０１６３】
本発明に係る画像読取装置は、ファクシミリ、複写機、スキャナなどに好適に用いられる。
【符号の説明】
【０１６４】
１  読取対象物（原稿）、２  導光体、２ａ  導光体端面、２ｂ  導光体端面、２ｃ  光散乱領域、２ｄ  導光体固定部、３  導光体、３ａ  導光体端面、３ｂ  導光体端面、３ｃ  光散乱領域、３ｄ  導光体固定部、４  光源、４ａ  放射面、５  光源、５ａ  放射面、６  光源、６ａ  放射面、７  光源、７ａ  放射面、８  導光体ホルダ、８ａ  デバイス取付部、８ｂ  光源反射材取付部、８ｃ  保持材嵌合部（第２穴部）、８ｄ  導光体保持部、８ｅ  位置決め穴部（第１穴部）、８ｆ  位置決め穴部（第１穴部）、８ｇ  貫通穴、９  導光体ホルダ、９ａ  デバイス取付部、９ｂ  光源反射材取付部、９ｃ  保持材嵌合部（第２穴部）、９ｄ  導光体保持部、９ｅ  位置決め穴部（第１穴部）、９ｆ  位置決め穴部（第１穴部）、９ｇ  貫通穴、１０  光学デバイス、１１  光学デバイス、１２  光学デバイス、１３  光学デバイス、１４  光源反射材、１４ａ  光源反射部、１４ｂ  反射材開口部、１５  光源反射材、１５ａ  光源反射部、１５ｂ  反射材開口部、１６  光源反射材、１６ａ  光源反射部、１６ｂ  反射材開口部、１７  光源反射材、１７ａ  光源反射部、１７ｂ  反射材開口部、１８  光源基板、１９  光源基板、２０  伝熱体、２１  伝熱体、２２  導光体保持材、２２ａ  導光体保持部、２２ｂ  導光体保持部、２２ｃ  突起部、２２ｄ  突起部、２２ｅ  開口部、２３  板金部材（筐体）、２３ａ  開口部、２３ｂ  伝熱面、２３ｃ  伝熱面、２４  ねじ（転結部材）、２５  遮光材、２６  遮光材、２７  ベース、２７ａ  位置決め穴、２７ｂ  位置決め穴、２７ｃ  位置決め穴、２７ｄ  位置決め穴、２８  反射板、２８ａ  光透過部、２８ｂ  光反射部（平面鏡部）、２９  第１レンズミラー、３０  第２レンズミラー、３１  センサ基板、３１ａ  受光部、３２  センサ基板ホルダ、３２ａ  アパーチャー部、３２ｂ  スリット部、３３  スタンド（枠体の側壁部）、３３ａ  位置決めボス、３３ｂ  位置決めボス、３３ｃ  反射板保持部、３４  スタンド（枠体の側壁部）、３４ａ  位置決めボス（突起部）、３４ｂ  位置決めボス（突起部）、３４ｃ  反射板保持部、３４ｄ  位置決めボス、３４ｅ  位置決めボス、１００  照明ユニット、１０１  結像ユニット、１０２  画像読取装置。
【図１】
2014129549.tif 000003
【図２】
2014129549.tif 000004
【図３】
2014129549.tif 000005
【図４Ａ】
2014129549.tif 000006
【図４Ｂ】
2014129549.tif 000007
【図５】
2014129549.tif 000008
【図６】
2014129549.tif 000009
【図７】
2014129549.tif 000010
【図８】
2014129549.tif 000011
【図９】
2014129549.tif 000012
【図１０】
2014129549.tif 000013
【図１１】
2014129549.tif 000014
【図１２】
2014129549.tif 000015
【手続補正書】
【提出日】平成27年4月10日(2015.4.10)
【手続補正１】
【補正対象書類名】明細書
【補正対象項目名】０００８
【補正方法】変更
【補正の内容】
【０００８】
上記目的を達成するため、この発明に係る画像読取装置は、対象物に光を照射する照明ユニットと、対象物に対向して主走査方向に沿ってアレイ状に配置されたミラーを有し、対象物での反射光を結像する結像ユニットとを備える。照明ユニットは、底部に設けられた第１穴部を有する。結像ユニットは、枠体に収納又は保持される。枠体は、対象物からの反射光の光軸がミラーを通るように第１穴部に嵌合する突起部が、主走査方向の端部である側壁部の上部に設けられている。
【手続補正２】
【補正対象書類名】特許請求の範囲
【補正対象項目名】全文
【補正方法】変更
【補正の内容】
【特許請求の範囲】
【請求項１】
対象物に光を照射する照明ユニットと、
前記対象物に対向して主走査方向に沿ってアレイ状に配置されたミラーを有し、前記対象物での反射光を結像する結像ユニットとを備え、
前記照明ユニットは、底部に設けられた第１穴部を有し、
前記結像ユニットは、枠体に収納又は保持され、
前記枠体は、前記対象物からの反射光の光軸が前記ミラーを通るように前記第１穴部に嵌合する突起部が、前記主走査方向の端部である側壁部の上部に設けられている画像読取装置。
【請求項２】
前記照明ユニットは、
前記主走査方向に延在し、光を散乱させて前記対象物へ向けて射出させる導光体と、
前記第１穴部が形成され、前記導光体の端部を保持する導光体ホルダと、
前記導光体が載置される部材であって、前記主走査方向の端部から突き出た突起部を有する導光体保持材と、
前記導光体、前記導光体ホルダ及び前記導光体保持材を収納又は保持し、前記第１穴部に対応する位置に貫通穴が設けられた筐体とを有し、
前記導光体ホルダは、前記主走査方向に貫通して設けられ、前記導光体保持材の前記突起部が挿入された第２穴部をさらに備える
請求項１に記載の画像読取装置。
【請求項３】
前記導光体保持材は、前記導光体を固定する導光体保持部を有し、
前記導光体は、前記導光体保持部と係合又は嵌合する導光体固定部を有する
請求項２に記載の画像読取装置。
【国際調査報告】
2014129549.tif 000016
2014129549.tif 000017
2014129549.tif 000018
2014129549.tif 000019